(57)【要約】【課題】ローラがディスクを搬送する力の向きのばらつきを抑制する。【解決手段】相対的にローラ１２ａを硬くし、ローラ１２ｂを軟らかくすることにより、相対的にローラ１２ａの搬送力を低くし、ローラ１２ｂの搬送力を高くする。これにより、ローラ１２ａ，１２ｂがディスク３０を搬送する力の向きは、矢印Ｅ１の方向に定められ、トリガ２１の作動方向である矢印Ａと同一方向となり、ローラ１２ａ，１２ｂにより搬送されてきたディスク３０の周縁部がトリガ２１を確実に押し込む。【選択図】図５
2016225003.tif 000002
【特許請求の範囲】
【請求項１】
駆動源からの駆動力を受けて回転するシャフトと、
前記シャフトの外周面を被覆する円筒形状であって、前記シャフトの軸方向において中央部の外径より左右の端部の外径が大きく、当該左右の端部の外面がディスクの周縁部に接触した状態で前記シャフトと共に回転して前記ディスクを搬送するローラとを備えたディスク搬送機構において、
前記ローラは、硬さが前記左右の端部で異なることを特徴とするディスク搬送機構。
【請求項２】
駆動源からの駆動力を受けて回転するシャフトと、
前記シャフトの外周面を被覆する円筒形状であって、前記シャフトの軸方向において中央部の外径より左右の端部の外径が大きく、当該左右の端部の外面がディスクの周縁部に接触した状態で前記シャフトと共に回転して前記ディスクを搬送するローラとを備えたディスク搬送機構において、
前記ローラは、前記ディスクの周縁部に接触する前記外面または前記シャフトの外周面に接触する内面の少なくとも一方の表面粗さが前記左右の端部で異なることを特徴とするディスク搬送機構。
【請求項３】
請求項１または請求項２記載のディスク搬送機構と、
前記ディスク搬送機構の前記ローラにより搬送されてきた前記ディスクの周縁部が当接して前記ディスクの搬送力を受けて作動するトリガとを備えたディスク再生装置。
【発明の詳細な説明】
【技術分野】
【０００１】
この発明は、ローラによってディスクを搬送するディスク搬送機構、およびディスク搬送機構を備えたディスク再生装置に関するものである。
【背景技術】
【０００２】
ディスク再生装置の外部から内部へ、および内部から外部へディスクを搬送するディスク搬送機構は、ディスクにゴム製のローラを圧接させることでディスクとローラとの間に摩擦力を発生させ、駆動モータによってローラを回転させてディスクを搬送する基本構造となっている。そして、ローラにより搬送されてきたディスクがディスク再生装置内部のトリガを押すことで、トリガが作動して次の動作工程に移行する。
【０００３】
しかし、上記構成のディスク搬送機構では、ローラがディスクを搬送する力の向きにばらつきが生じ、十分なディスクの搬送力を得られないことがあった。
そこで、例えば特許文献１においては、外径が左右で異なるローラを用いることにより、ディスクを搬送する力の左右の均一化を図っている。
【先行技術文献】
【特許文献】
【０００４】
【特許文献１】特開２００６−７９６７５号公報
【発明の概要】
【発明が解決しようとする課題】
【０００５】
上記特許文献１に開示された技術は、左右の外径が異なるローラを用意した上で、ローラの支持機構による支持力の左右のばらつきに応じて、支持力が強い方のローラの外径を小さくしたものであって、調整が容易ではなく、依然として、ローラがディスクを搬送する力の向きにばらつきが生じるおそれがあった。ディスクを搬送する力の向きにばらつきがあると、ディスクが常に同じ方向からトリガを押すことができない。そのため、特にディスクを搬送する力の向きとトリガが作動する力の向きとが一致しない場合、ディスクがトリガを押す力が弱まってトリガを作動させることができず、次の動作工程に移行できないという課題があった。
【０００６】
この発明は、上記のような課題を解決するためになされたもので、ローラがディスクを搬送する力の向きのばらつきを抑制することを目的とする。
【課題を解決するための手段】
【０００７】
この発明に係るディスク搬送機構は、駆動源からの駆動力を受けて回転するシャフトと、シャフトの外周面を被覆する円筒形状であって、シャフトの軸方向において中央部の外径より左右の端部の外径が大きく、当該左右の端部の外面がディスクの周縁部に接触した状態でシャフトと共に回転してディスクを搬送するローラとを備え、ローラは、硬さが左右の端部で異なるものである。
【０００８】
この発明に係るディスク搬送機構は、駆動源からの駆動力を受けて回転するシャフトと、シャフトの外周面を被覆する円筒形状であって、シャフトの軸方向において中央部の外径より左右の端部の外径が大きく、当該左右の端部の外面がディスクの周縁部に接触した状態でシャフトと共に回転してディスクを搬送するローラとを備え、ローラは、ディスクの周縁部に接触する外面またはシャフトの外周面に接触する内面の少なくとも一方の表面粗さが左右の端部で異なるものである。
【発明の効果】
【０００９】
この発明によれば、ローラの硬さまたは表面粗さを左右の端部で異なる構成にしたので、ローラがディスクを搬送する力が左右のいずれか一方で高く、もう一方で低くなることによって搬送する力の向きが左右のいずれか一方に定まる。従って、ローラがディスクを搬送する力の向きのばらつきを抑制することができる。
【図面の簡単な説明】
【００１０】
【図１】この発明の実施の形態１に係るディスク再生装置の構成例を示す外観斜視図である。
【図２】実施の形態１に係るディスク再生装置におけるディスク搬送機構の構成例を示す平面図である。
【図３】実施の形態１に係るディスク再生装置におけるディスク搬送機構の構成例を示す平面図であり、トリガが作動した状態を示す。
【図４】実施の形態１に係るディスク再生装置におけるトリガとその周辺部を拡大した斜視図である。
【図５】実施の形態１に係るディスク再生装置においてディスクを搬送する力の向きとトリガが作動する力の向きを説明する図である。
【図６】実施の形態１におけるローラの構成例を説明する図である。
【図７】実施の形態１，２におけるローラの変形例を説明する図である。
【図８】実施の形態１，２におけるローラの変形例を説明する図である。
【発明を実施するための形態】
【００１１】
実施の形態１．
図１は、この発明の実施の形態１に係るディスク再生装置１の構成例を示す外観斜視図である。図２は、実施の形態１に係るディスク再生装置１におけるディスク搬送機構１０の構成例を示す平面図である。図１および図２に示すディスク再生装置１は、ディスク挿入待機状態である。また、図２では、ディスク再生装置１の内部構造が見えるように、上面シャーシ４とアームクランプ５の図示を省略している。
【００１２】
ディスク再生装置１は、ディスク挿入口３が前面に開口したシャーシ２、ディスク挿入口３を通してディスク３０をシャーシ２の内外へ搬送するディスク搬送機構１０、ディスク３０の搬送が完了したことを検知するためのトリガ２１、およびディスク３０のデータを読み出して再生する再生部などを備えている。
【００１３】
ディスク搬送機構１０は、ディスク挿入口３にディスク３０が挿入されたことを検知するディスク検知センサ１３、シャフト１１を回転駆動する駆動源であるディスク搬送用モータ１４、ディスク搬送用モータ１４の駆動力を受けて回転するシャフト１１、ディスク搬送用モータ１４の駆動力をシャフト１１へ伝達する複数のギア１５〜２０、およびディスク３０に接触した状態でシャフト１１と共に回転してディスク３０を搬送するローラ１２ａ，１２ｂなどを備えている。
再生部は、再生ベース９の上に設置されたターンテーブル６、ディスク再生用モータ７、および光ピックアップ８などを備えている。
【００１４】
ディスク挿入口３にディスク３０が挿入されると、上面シャーシ４側のディスク挿入口３付近に設置された発光素子の光をディスク３０が遮るため、受光素子であるディスク検知センサ１３は、発光素子からの光を受光できなくなる。ディスク検知センサ１３は、発光素子からの光を受光できなくなった場合、ディスク３０が挿入されたことを検知して、ディスク搬送用モータ１４へ信号を出力する。ディスク搬送用モータ１４は、ディスク検知センサ１３からの信号に基づいて、動作を開始し、複数のギア１５〜２０を介してシャフト１１を回転させる。シャフト１１の回転に伴い、当該シャフト１１の外周面を被覆したローラ１２ａ，１２ｂが回転することにより、ディスク３０がディスク挿入口３からターンテーブル６へと搬送される。ターンテーブル６の方向へ搬送されてきたディスク３０の周縁部が、シャーシ２内の左奥に設置されたトリガ２１を押すことにより、トリガ２１が作動する。
【００１５】
図３は、実施の形態１に係るディスク再生装置１におけるディスク搬送機構１０の構成例を示す平面図であり、トリガ２１が作動した状態を示す。図４は、トリガ２１とその周辺部を拡大した斜視図である。なお、図４ではバネ部材２１ｃおよび再生ベース９等の図示を省略している。
トリガ２１は、一端に、搬送されてきたディスク３０の周縁部が当接するディスク当接部２１ａを有している。また、トリガ２１は、ディスク当接部２１ａとは反対側に位置する他端に、第１側面スライダ２２に当接するスライダ当接部２１ｂを有している。さらに、トリガ２１とアームクランプ５との間にバネ部材２１ｃが架け渡され、図２に示すトリガ２１が作動していない状態では、トリガ２１は、バネ部材２１ｃの力によりディスク当接部２１ａがディスク３０の搬送経路上に突き出た位置に保持されている。
【００１６】
シャーシ２の左側面には、第１側面スライダ２２と第２側面スライダ２３が前後方向に移動可能に設置されている。第１側面スライダ２２に第２側面スライダ２３が取り付けられており、第１側面スライダ２２の移動に伴って第２側面スライダ２３も移動する。
シャーシ２の背面には、背面スライダ２５が左右方向に移動可能に設置されている。
シャーシ２の底面には、第２側面スライダ２３と背面スライダ２５とを接続するリンク２４が設置されており、第２側面スライダ２３が前後方向に移動すると背面スライダ２５が左右方向に移動する。
【００１７】
図３に示すように、搬送されてきたディスク３０の周縁部がディスク当接部２１ａに当接すると、図４に拡大して示すように、ディスク当接部２１ａがディスク３０の周縁部に押されることによってバネ部材２１ｃの力に抗して矢印Ａで示す左斜め奥方向へ後進し、スライダ当接部２１ｂが矢印Ａとは反対の右斜め手前方向へ前進して第１側面スライダ２２を矢印Ｂで示す手前方向へ押し出す。第１側面スライダ２２の矢印Ｂの方向への移動に伴って、この第１側面スライダ２２に取り付けられている第２側面スライダ２３も、矢印Ｂの方向へ移動する。第２側面スライダ２３が矢印Ｂの方向へ移動すると、これに連動してリンク２４が矢印Ｃの方向へ動き、背面スライダ２５を矢印Ｄで示す左方向へ引っ張る。背面スライダ２５にはシャーシ２の内側へ突出した突部２５ａが形成されており、背面スライダ２５が矢印Ｄの方向へ移動する際に突部２５ａが搬送完了スイッチ２６を押し込む。また、トリガ２１の作動により、アームクランプ５を上面シャーシ４側にロックしていたロック機構が解除され、アームクランプ５が再生ベース９側へ下がり、ディスク３０をターンテーブル６上に押し付けて保持する。
【００１８】
搬送完了スイッチ２６は、背面スライダ２５の突部２５ａによって押し込まれると、ディスク搬送完了を知らせる信号を出力する。ディスク搬送用モータ１４は、搬送完了スイッチ２６からの信号に基づいて、動作を終了する。ディスク再生用モータ７は、搬送完了スイッチ２６からの信号に基づいて、動作を開始し、ターンテーブル６上のディスク３０を回転させる。光ピックアップ８は、ディスク３０のデータを読み出し、再生する。
【００１９】
なお、図示例では、トリガ２１が作動することにより搬送完了スイッチ２６が押し込まれてディスク３０の搬送完了を検知する構成を示したが、トリガ２１が作動することによりディスク３０の搬送完了を検知できる構成であればどのような構成であってもよい。
再生を終了してディスク３０をディスク再生装置１から排出するときは、ディスク搬送用モータ１４がシャフト１１およびローラ１２ａ，１２ｂを、ディスク３０を挿入したときとは逆向きに回転させることになる。本実施の形態１においてディスク３０を排出する際の動作はどのような動作でもよいため、詳細な説明は省略する。
【００２０】
次に、ディスク３０を搬送する力のばらつきについて説明する。図５は、実施の形態１に係るディスク再生装置１においてディスク３０を搬送する力の向きとトリガ２１が作動する力の向きを説明する図である。
先立って説明したように、ローラ１２ａ，１２ｂの回転によりディスク３０をディスク挿入口３からターンテーブル６の方向へ搬送する際、ローラ１２ａ，１２ｂ等の製造ばらつきにより、ディスク３０を搬送する力の向きは矢印Ｅ１，Ｅ２，Ｅ３のどの方向にもなり得る。
【００２１】
実施の形態１においてはトリガ２１が作動する方向は矢印Ａの左斜め奥方向であるため、ディスク３０を搬送する力の向きが矢印Ｅ３の右斜め奥方向である場合、トリガ２１が作動する方向に対してディスク３０を搬送する力の向きが略法線方向となり、トリガ２１を押す力が弱まる。そのため、トリガ２１の押し込みが不十分となり、第１側面スライダ２２、第２側面スライダ２３、リンク２４および背面スライダ２５の動作が不完全になり、搬送完了スイッチ２６においてディスク３０の搬送完了が検知されない可能性がある。
反対に、ディスク３０を搬送する力の向きが矢印Ｅ１の左斜め奥方向である場合、トリガ２１が作動する方向とディスク３０を搬送する力の向きが略同じになり、トリガ２１を確実に押すことができる。そのため、トリガ２１、第１側面スライダ２２、第２側面スライダ２３、リンク２４および背面スライダ２５が正常に動作し、搬送完了スイッチ２６においてディスク３０の搬送完了を検知できる。
【００２２】
ディスク３０を搬送する力の向きのばらつきを抑制して常に矢印Ｅ１の方向になるように、本実施の形態１においては、ローラ１２ａ，１２ｂの硬さを変更する。
ここで、図６に、ローラ１２ａ，１２ｂの構成例を示す。本実施の形態１において、ローラ１２ａ，１２ｂのそれぞれは、シャフト１１の外周面を被覆する円筒形状に形成されたシリコーンゴム等の弾性体であり、円筒の内面１２ａ−１，１２ｂ−１がシャフト１１の外周面に接触した状態に設置されている。また、ローラ１２ａは、シャフト１１の軸方向において中央部より左側に配置され、ローラ１２ｂは、シャフト１１の軸方向において中央部より右側に配置されている。さらに、ローラ１２ａ，１２ｂは、シャフト１１の軸方向において中央部側の外径Ｆ１より左右の両端部側の外径Ｆ２の方が大きくなっている。そのため、ローラ１２ａ，１２ｂの外面１２ａ−２，１２ｂ−２がディスク３０の周縁部に接触した状態で、シャフト１１と共にローラ１２ａ，１２ｂが回転してディスク３０を搬送する。
ただし、図６では、ローラ１２ａ，１２ｂの外径Ｆ１，Ｆ２に差異があることを強調するために、外径Ｆ１，Ｆ２の差を実際より大げさに表現してある。
【００２３】
上記構成のディスク搬送機構１０において、ローラ１２ａ，１２ｂを硬くすると、ディスク３０との間に生じる摩擦が小さくなるため、ディスク３０を搬送する搬送力が低くなる。反対に、ローラ１２ａ，１２ｂを軟らかくすると、ディスク３０との間に生じる摩擦が大きくなるため、搬送力が高くなる。
そこで、実施の形態１では、相対的にローラ１２ａを硬くし、ローラ１２ｂを軟らかくすることにより、相対的にローラ１２ａの搬送力を低くし、ローラ１２ｂの搬送力を高くする。これにより、ローラ１２ａ，１２ｂがディスク３０を搬送する力の向きは、矢印Ｅ１の方向に定められ、トリガ２１の作動方向である矢印Ａと同一方向となる。よって、トリガ２１を押し込む力が不足せず、搬送完了スイッチ２６においてディスク３０の搬送完了を検知できる。
【００２４】
以上より、実施の形態１によれば、ディスク搬送用モータ１４からの駆動力を受けて回転するシャフト１１と、シャフト１１の外周面を被覆する円筒形状であって、シャフト１１の軸方向において中央部の外径Ｆ１より左右の端部の外径Ｆ２が大きく、当該左右の端部の外面１２ａ−２，１２ｂ−２がディスク３０の周縁部に接触した状態でシャフト１１と共に回転してディスク３０を搬送するローラ１２ａ，１２ｂとを備えたディスク搬送機構１０において、硬さが左右の端部で異なる、つまり左側のローラ１２ａと右側のローラ１２ｂとで異なる構成にしたので、ローラ１２ａ，１２ｂがディスク３０を搬送する力の向きのばらつきを抑制することができる。これにより、ディスク３０を搬送する力の向きとトリガ２１が作動する力の向きとが常に一致し、トリガ２１が確実に作動してディスク３０の搬送完了を検知することができる。
【００２５】
実施の形態２．
この発明の実施の形態２に係るディスク再生装置は、図面上では図１〜図６に示した実施の形態１のディスク再生装置１と同じ構成であるため、以下では図１〜図６を援用する。実施の形態２においては、シャフト１１の軸方向においてローラ１２ａ，１２ｂの表面粗さを変更することにより、ディスク３０を搬送する力の向きのばらつきを抑制する。
【００２６】
上記実施の形態１と同様に、本実施の形態２においてもローラ１２ａ，１２ｂのそれぞれは、シャフト１１の外周面を被覆する円筒形状に形成されたシリコーンゴム等の弾性体である。ローラ１２ａ，１２ｂの内面１２ａ−１，１２ｂ−１の表面粗さを粗くすると、シャフト１１の外周面との間に生じる摩擦が小さくなるため、ディスク３０を搬送する搬送力が低くなる。反対に、内面１２ａ−１，１２ｂ−１の表面粗さを細かくすると、シャフト１１の外周面との間に生じる摩擦が大きくなるため、搬送力が高くなる。
そこで、実施の形態２では、相対的にローラ１２ａの内面１２ａ−１の表面粗さを粗くし、ローラ１２ｂの内面１２ｂ−１の表面粗さを細かくすることにより、相対的にローラ１２ａの搬送力を低くし、ローラ１２ｂの搬送力を高くする。これにより、ローラ１２ａ，１２ｂがディスク３０を搬送する力の向きは、図５に示す矢印Ｅ１の方向に定められ、トリガ２１の作動方向である矢印Ａと同一方向となる。よって、トリガ２１を押し込む力が不足せず、搬送完了スイッチ２６においてディスク３０の搬送完了を検知できる。
【００２７】
また、ローラ１２ａ，１２ｂの内面１２ａ−１，１２ｂ−１ではなく、外面１２ａ−２，１２ｂ−２の表面粗さを変更してもよい。外面１２ａ−２，１２ｂ−２の表面粗さを粗くすると、ディスク３０との間に生じる摩擦が小さくなるため、搬送力が低くなる。反対に、外面１２ａ−２，１２ｂ−２の表面粗さを細かくすると、ディスク３０との間に生じる摩擦が大きくなるため、搬送力が高くなる。従って、相対的にローラ１２ａの外面１２ａ−２の表面粗さを粗くし、ローラ１２ｂの外面１２ｂ−２の表面粗さを細かくすることにより、相対的にローラ１２ａの搬送力が低く、ローラ１２ｂの搬送力が高くなり、ローラ１２ａ，１２ｂがディスク３０を搬送する力の向きは、図５に示す矢印Ｅ１の方向に定められる。
さらに、内面１２ａ−１，１２ｂ−１と外面１２ａ−２，１２ｂ−２の両方の表面粗さを変更してもよい。
【００２８】
以上より、実施の形態２によれば、ディスク搬送用モータ１４からの駆動力を受けて回転するシャフト１１と、シャフト１１の外周面を被覆する円筒形状であって、シャフト１１の軸方向において中央部の外径Ｆ１より左右の端部の外径Ｆ２が大きく、当該左右の端部の外面１２ａ−２，１２ｂ−２がディスク３０の周縁部に接触した状態でシャフト１１と共に回転してディスク３０を搬送するローラ１２ａ，１２ｂとを備えたディスク搬送機構１０において、ローラの外面または内面の少なくとも一方の表面粗さが左右の端部で異なる、つまり左側のローラ１２ａの外面１２ａ−２または内面１２ａ−１の表面粗さと右側のローラ１２ｂの外面１２ｂ−２または内面１２ｂ−１の表面粗さとが異なる構成にしたので、ローラ１２ａ，１２ｂがディスク３０を搬送する力の向きのばらつきを抑制することができる。
【００２９】
なお、上記実施の形態１，２では、ローラを、左側のローラ１２ａと右側のローラ１２ｂの２部材に分けて構成したが、１部材で構成してもよい。その場合、１部材のローラの硬さまたは表面粗さを、左右で異なるように構成する。
また、トリガ２１の作動方向が矢印Ａの方向とは異なる場合、もしくはトリガ２１の設置位置が図６の位置とは異なる場合には、トリガ２１の作動方向および設置位置に合うように、ローラ１２ａ，１２ｂの硬さまたは表面粗さを変更すればよい。
【００３０】
さらに、図７に示すように、ディスク３０の下面側と上面側とにおいて相対する一対のシャフト１１，２７が設置され、少なくともシャフト１１が回転駆動されるようになっている構成において、実施の形態１，２のような硬さまたは表面粗さの異なるローラ１２ａ，１２ｂを適用してもよい。図７の構成においては、ディスク３０の上面側のシャフト２７は、回転駆動されず、ディスク３０が搬送される力の向きに及ぼす影響が小さいため、左右２つのローラ２８は同一の硬さまたは同一の表面粗さになっている。一方、ディスク３０の下面側のシャフト１１は、回転駆動されるので、ディスク３０が搬送される力の向きに及ぼす影響が大きいため、硬さまたは表面粗さの異なるローラ１２ａ，１２ｂが設置されている。もちろん、シャフト２７に対しても、硬さまたは表面粗さの異なるローラ１２ａ，１２ｂを設置可能である。
【００３１】
また、図８に示すように、ディスク３０の下面側には回転駆動されるシャフト１１が設置され、ディスク３０の上面側には当該ディスク３０に接触して搬送中のガイドとなるディスクガイド２９が設置されている構成において、実施の形態１，２のような硬さまたは表面粗さの異なるローラ１２ａ，１２ｂを適用してもよい。
【００３２】
なお、本発明はその発明の範囲内において、各実施の形態の自由な組み合わせ、各実施の形態の任意の構成要素の変形、または各実施の形態の任意の構成要素の省略が可能である。
【符号の説明】
【００３３】
１  ディスク再生装置、２  シャーシ、３  ディスク挿入口、４  上面シャーシ、５  アームクランプ、６  ターンテーブル、７  ディスク再生用モータ、８  光ピックアップ、９  再生ベース、１０  ディスク搬送機構、１１  シャフト、１２ａ，１２ｂ  ローラ、１２ａ−１，１２ｂ−１  内面、１２ａ−２，１２ｂ−２  外面、１３  ディスク検知センサ、１４  ディスク搬送用モータ、１５〜２０  ギア、２１  トリガ、２１ａ  ディスク当接部、２１ｂ  スライダ当接部、２２  第１側面スライダ、２３  第２側面スライダ、２４  リンク、２５  背面スライダ、２５ａ  突部、２６  搬送完了スイッチ、２７  シャフト、２８  ローラ、２９  ディスクガイド、３０  ディスク。
【図１】
2016225003.tif 000003
【図２】
2016225003.tif 000004
【図３】
2016225003.tif 000005
【図４】
2016225003.tif 000006
【図５】
2016225003.tif 000007
【図６】
2016225003.tif 000008
【図７】
2016225003.tif 000009
【図８】
2016225003.tif 000010